(57)【特許請求の範囲】
【請求項１】
ロータリカバー（３０）の後部に第１リヤカバー（４０）を、また第１リヤカバー（４０）の後部に第２リヤカバー（４３）をそれぞれ上下動自在に連設させ、第１及び第２リヤカバー（４０）（４３）を下限位置に下動させて固定するロック部材（６３）（６４）を設けると共に、第１及び第２リヤカバー（４０）（４３）用の各ロック部材（６３）（６４）を１本の操作ワイヤ（６９）に連動連結させて、ロック及びロック解除を行うように構成する耕耘装置において、ロック操作レバー（６８）と第１リヤカバー（４０）のロック部材（６４）間を操作ワイヤ（６９）で連動連結すると共に、第２リヤカバー（４０）のロック部材（６３）に一端を連結させるロックロッド（７０）の他端を、第１リヤカバー（４０）のロック部材（６４）の固定片（７１）の長孔（７２）に摺動自在に連結させ、常時は第１及び第２リヤカバー（４０）（４３）を上下動自在に支持させ、前記操作レバー（６８）によってワイヤ（６９）を引張り操作し、第１リヤカバー（４０）のロック部材（６４）を回動させ、ロックロッド（７０）の係止ピン（７０ａ）の固定片（７１）を当接させ、該ロッド（７０）を引張って第２リヤカバー（４３）のロック部材（６３）を回動させることを特徴とする耕耘装置。
【発明の詳細な説明】
【０００１】
【発明の属する技術分野】
本発明は例えばトラクタに耕耘ロータリ作業機を牽引し、トラクタの走行速度を速くして高速走行で耕耘作業を行って耕耘作業時間の短縮化を図るようにした耕耘装置に関する。
【０００２】
【発明が解決しようとする課題】
この種耕耘装置のリヤカバーにあって、前部の第１リヤカバーに後部の第２リヤカバーを連設させた構造のリヤカバーにあっては、第１及び第２リヤカバーの両方を下限作用位置で固定する場合には、第１及び第２リヤカバーの吊下ロッドの上動を規制するロック部材をそれぞれ設け、これら第１及び第２リヤカバー用ロック部材のそれぞれにワイヤを連結させて、これら２本のワイヤを引張り操作することなどによってロック部材による第１及び第２リヤカバーのロックを行って、これらリヤカバーによる均平作業を行っている。しかし乍らこの場合、ワイヤの摺動抵抗も２倍となって大きな操作力を必要とするばかりでなく、ワイヤ本数の増加分外観構造を煩雑化させたりワイヤによる引掛り事故などを増大させていた。
【０００３】
【課題を解決するための手段】
然るに、本発明は、ロータリカバーの後部に第１リヤカバーを、また第１リヤカバーの後部に第２リヤカバーをそれぞれ上下動自在に連設させ、第１及び第２リヤカバーを下限位置に下動させて固定するロック部材を設けると共に、第１及び第２リヤカバー用の各ロック部材を１本の操作ワイヤに連動連結させて、ロック及びロック解除を行うように構成する耕耘装置において、ロック操作レバーと第１リヤカバーのロック部材間を操作ワイヤで連動連結すると共に、第２リヤカバーのロック部材に一端を連結させるロックロッドの他端を、第１リヤカバーのロック部材の固定片の長孔に摺動自在に連結させ、常時は第１及び第２リヤカバーを上下動自在に支持させ、前記操作レバーによってワイヤを引張り操作し、第１リヤカバーのロック部材を回動させ、ロックロッドの係止ピンの固定片を当接させ、該ロッドを引張って第２リヤカバーのロック部材を回動させるもので、取扱い性に秀れると共に、構造上での簡潔化を図るものである。
【０００４】
【発明の実施の形態】
以下、本発明の実施例を図面に基づいて詳述する。図１はリヤカバー部の側面図、図２は全体の側面図、図３は同平面図、図４は耕耘ロータリ作業機部の側面図である。図中（１）はトラクタであり、エンジン（２）を内設させるボンネット（３）両側に左右の前走行輪（４）（４）を装設させ、前記ボンネット（３）後部に操向ハンドル（５）を設け、該ハンドル（５）後方に運転席（６）を設置させ、運転席（６）両側外方に左右の後走行輪（７）（７）を装設させると共に、運転席（６）前側のステップ（８）に左右ブレーキペダル（９）（９）及びクラッチペダル（１０）を配設させ、作業者が運転席（６）に座乗して走行移動するように構成している。
【０００５】
また、前記走行輪（４）（７）を駆動するミッションケースに３点リンク機構（１１）を構成するロワリンク（１２）及びトップリンク（１３）を介して耕耘ロータリ作業機（１４）を取付け、該作業機（１４）をトラクタ（１）後側に昇降自在に装設させるもので、走行主変速レバー（１５）と、前記作業機（１４）を手動操作で昇降させるポジションコントロールレバー（１６）と、前記作業機（１４）を非作業上昇位置及び耕耘作業下降位置にワンタッチ動作で昇降させる昇降スイッチ（１７）を、運転席（６）の右側に配置させると共に、走行副変速レバー（１８）と、前記作業機（１４）への出力を変更させるＰＴＯ変速レバー（１９）を、運転席（６）の左側に配置させる。
【０００６】
さらに、図４乃至図５に示す如く、前記作業機（１４）の中央にギアボックス（２０）を配置し、トラクタ（１）のＰＴＯ軸（２１）から動力を伝えると共に、前記ギアボックス（２０）側面より両側方にビーム（２２）を突出し、該ビーム（２２）のそれぞれの中途部に支持プレート（２３）を固設し、該支持プレート（２３）の前端にはロワリンク（１２）を連結させ、支持プレート（２３）後端にはデプスフレーム（２４）の前端を枢支している。
【０００７】
前記ビーム（２２）の外側端にチェーンケース（２６）上部とサイドサポート（２７）上部が固設され、該チェーンケース（２６）下部とサイドサポート（２７）下部の間に耕耘爪軸（２８）が横架され、該耕耘爪軸（２８）上にナタ爪よりなる多数のロータリ爪（２９）…が側面視で放射状に植設されると共に、該ロータリ爪（２９）の回転軌跡上方がロータリカバー（３０）によって覆われ、両側はサイドカバー（３１）によって覆われている。そして、該耕耘爪軸（２８）はギアボックス（２０）内のギア、ビーム（２２）内の伝動軸、チェーンケース（２６）内のスプロケット及びチェーンを介して駆動され、ロータリ爪（２９）…が回転されることによって耕耘ができると共に、ハンドル（３２）の回転操作によって耕耘爪軸（２８）軸芯を中心にロータリカバー（３０）を前後に回転させることができるようにしている。
【０００８】
そして、前記ビーム（２２）に固定するプレート（３３）を前方に突設させ、該プレート（３３）前端に支持杆（３４）が横架され、該支持杆（３４）に取付プレート（３５）が固定され、該取付プレート（３５）に切断刃（３６）の上部が固定されている。なお、切断刃（３６）を左右幅方向でロワーリンク（１２）より機外側方に４本装着すると共に、切断刃（３６）の中間部は後方に湾曲させ、前後に傾斜させる切断刃（３６）の直線形下部を前記ロータリ爪（２９）の回転軌跡の前部に後傾形に臨ませている。
【０００９】
前記ロータリ爪（２９）は切り込んでから土を反転させるために先端部を右または左に交互に一定巾（略８０ｍｍ）湾曲させて弾性を有する構成とし、１８０°対向位置の爪（２９）の湾曲方向を右または左方向に同一とするように爪軸（２８）の同一断面に取付けられた４本のホルダーに４本（爪軸（２８）１回転当りの爪本数同一方向に２本）のロータリ爪（２９）を装着させている。そしてロータリ爪（２９）の回転半径を略２４５ｍｍ程度とし、左右横方向で対向関係にある隣接のロータリ爪（２９）（２９）の基部間隔（Ｔ）を大きな間隙の５とするのに対し、先端爪軌跡（Ｌ）の間隙である間隔（ｔ）を略１（Ｔ：ｔ≒５：１）（Ｔ≒２００ｍｍ、ｔ≒４０ｍｍ）の割合に設けて、基部間隔（Ｔ）を大とさせロータリ爪（２９）の取付本数を減少させることによって、所要動力の低減化を図って、同一動力での耕耘時余力分を速度に回して高速耕耘を可能とさせるように構成したものである。
【００１０】
即ち、従来例えば爪軸（２８）１回転当りの爪本数を１本で、爪軸回転数略１７０ｒｐｍ、車速０．５ｍ／ｓの作業条件で行われる作業を、爪軸（２８）１回転当りの爪本数を２本として、爪軸回転数略１７０ｒｐｍ、車速１〜１．５ｍ／ｓの作業条件で行うもので、走行速度を従来の略２倍以上に高速化させて、作業能率を大巾に向上させるように構成したものである。
【００１１】
さらに、ロータリ爪（２９）上側のロータリカバー（３０）後端に第１支点軸（３９）を介して鋼板製第１リヤカバー（４０）を上下方向に揺動自在に連結させ、第１リヤカバー（４０）後端にゴムリヤカバー（４１）前端を固定させ、下方に均し空間（４２）を形成するゴムリヤカバー（４１）後端に鋼板製第２リヤカバー（４３）前端を固定させると共に、第１リヤカバー（４０）後端部の第２支点軸（４４）と第２リヤカバー（４３）前端部の第３支点軸（４５）を左右一対のリンク（４６）（４６）によって連結させ、第３支点軸（４５）と略同軸上に第４支点軸（４７）を設け、第４支点軸（４７）に第１吊下ロッド（４８）下端を連結させ、第２リヤカバー（４３）後端部の第５支点軸（４９）に左右一対の第２吊下ロッド（５０）下端を連結させ、第１リヤカバー（４０）の支持体（５１）に第１及び第２吊下ロッド（４８）（５０）上端側を昇降自在に取付け、各吊下ロッド（４８）（５０）と第２リヤカバー（４３）によって側面視三角形を形成させ、また第２及び第３及び第５支点軸（４４）（４５）（４９）を結ぶ線によって側面視三角形を形成させたもので、第２支点軸（４４）または第３支点軸（４５）を中心に第２リヤカバー（４３）を上方移動させ、第２支点軸（４４）及び支持体（５１）の吊下ロッド（４８）（５０）連結部を支点とした前記カバー（４３）及び各ロッド（４８）（５０）の両てこ機構の動作により各ロッド（４８）（５０）の下方突張りによって前方移動が規制される第２リヤカバー（４３）を後上方に移動させ、第２リヤカバー（４３）両側部が平面視で前後移動するフローティング動作を行わせる。また、第５支点軸（４９）と第１リヤカバー（４０）の支持体（５１）間に左右一対のガスダンパ（５２）を連結させたもので、全ストローク略一定のバネ定数が得られかつストロークも大きく形成できるガスダンパ（５２）によって第２リヤカバー（４３）を支持させ、トラクタ（１）が左右に傾いても第２リヤカバー（４３）の左右均等な加圧によって耕耘面を均すことができるように構成している。
【００１２】
また、前記吊下ロッド（４８）（５０）上端側を支持体（５１）…の軸受体（５３）…に遊嵌挿入させ、軸受体（５３）…の上面側に当接する下限ストッパ（５４）…を前記ロッド（４８）（５０）に固設させ、前記ロッド（４８）（５０）の下方抜出しを防ぎ、第２リヤカバー（４３）の前方移動を制限すると共に、スプリング（５５）（５５）を巻装させた左右一対の吊下ロッド（５６）（５６）下端を第１リヤカバー（４０）上面に連結させ、前記ロッド（５６）上端側をロータリカバー（３０）の支持体（５７）に摺動自在に取付け、第１リヤカバー（４０）をスプリング（５５）によって下方に弾圧するように構成している。
【００１３】
また、前記第２リヤカバー（４３）上面にレーキ支持体（５８）を着脱自在に固定させ、該支持体（５８）に固定させるレーキ（５９）を第２リヤカバー（４３）後方に延出させると共に、第２吊下ロッド（５０）上端側を取付ける支持体（５１）の軸（６１）に前記ガスダンパ（５２）上端を連結させ、第２吊下ロッド（５０）とガスダンパ（５２）を可及的に近接させて略平行に設けている。
【００１４】
さらに、ロータリ爪（２９）の回転軌跡上端と略同じ高さまたはそれ以上に高い位置に第１支点軸（３９）を取付け、耕耘作業時に第１支点軸（３９）を中心にリヤカバー（４０）（４１）（４３）が上昇することにより、ロータリ爪（２９）の回転軌跡後方でリヤカバー（４０）（４１）（４３）下方に大きな面積の均し空間（４２）が形成され、リヤカバー（４０）（４１）（４３）によって前方に押す土がロータリ爪（２９）の土跳ね上げ部に至るのを防止し、高速走行での耕耘作業によるロータリ爪（２９）の耕耘負荷増加を防止するように構成している。
【００１５】
図１、図４、図６乃至図８にも示す如く、前記第１及び第２リヤカバー（４０）（４３）を下限作用位置で固定するロック装置（６０）を設けるもので、前記ロッド（５０）（５６）の上端側を軸受体（５３）に摺動自在に支持する各支持体（５１）（５７）の支軸（６１）（６２）に、回動自在にロック部材であるリヤカバー固定用第２及び第１ブラケット（６３）（６４）を取付け、常時は支持体（５１）（５７）とブラケット（６３）（６４）間に張設するリターンバネ（６５）（６６）によって、支軸（６１）（６２）を中心として同図時計方向側のバネ力を付勢して、ブラケット（６３）（６４）をロック解除姿勢に保つように構成している。また前記トップリンク（１３）を連結するマスト（６７）にロック操作レバー（６８）を設けて、該操作レバー（６８）と第１ブラケット（６４）間を操作ワイヤ（６９）で連動連結すると共に、第２ブラケット（６３）に一端を連結させるロックロッド（７０）の他端を、第１ブラケット（６４）の固定片（７１）の長孔（７２）に摺動自在に係合連結させて、常時はリヤカバー（４０）（４１）（４３）を上下動自在とさせている。そして前記操作レバー（６８）によってワイヤ（６９）を引張り操作して、第１ブラケット（６４）を図１の反時計方向に回動させるとき、ロックロッド（７０）他端の係止ピン（７０ａ）に固定片（７１）を当接させ、該ロッド（７０）を引張って第２ブラケット（６３）を回動させて、略門形状のブラケット（６４）（６３）の天板部（６４ａ）（６３ａ）を各吊下ロッド（５６）（５０）の上端上方に近接させる状態に臨ませて、該天板部（６４ａ）（６３ａ）によって各吊下ロッド（５６）（５０）の上動を規制して、第１及び第２リヤカバー（４０）（４３）をこの下限作用位置で固定維持させるように構成している。なお、前記ブラケット（６３）（６４）間をロックロッド（７０）を介し連動連結する構成を示したが、ワイヤによって連動連結する構成でも良い。
【００１６】
図９乃至図１５は、第１及び第２リヤカバー（４０）（４３）の上昇位置で各吊下ロッド（５６）（５０）をロック保持する上限ロック装置（７５）を各支持体（５１）（６７）先端に備えるもので、前記支持体（５１）（５７）の支軸（６１）（６２）に取付けるコマ体（７６）と、該コマ体（７６）にボルト（７６ａ）を介し取外し自在に固定するロックケース（７７）と、該ケース（７７）に摺動自在に支持するカラー体（７８）と、該カラー体（７８）の内径部に摺動自在に嵌合して先端をケース（７７）外側に突出させるロックピン（７９）と、前記カラー体（７８）とロックピン（７９）間に介設して常時はピン先端をケース（７７）側に退入させるロック解除バネ（８０）と、前記ケース（７７）とカラー体（７８）間に介設して常時はカラー体（７８）をピン（７９）伸出方向に移動させるロックバネ（８１）と、前記カラー体（７８）に基端の直線軸部（８２ａ）を取付ける略輪状の引張り金具（８２）と、前記ケース（７７）のピン（７９）退入側の折曲片（８３）に形成してピン（７９）のロック解除時に引張り金具（８２）の軸部（８２ａ）を係合保持するロック解除溝（８４）と、前記ロッド（５０）（５６）に開設して各カバー（４０）（４３）の上昇操作時にピン（７９）を挿入可能とするロック孔（８５）とからこのロック装置（７５）を構成している。なお、（８６）は前記コマ体（７６）に開設するピン（７９）の挿通孔である。
【００１７】
そして図１１及び図１３に示す如く、前記引張り金具（８２）をバネ（８１）に抗し引張って前記溝（８４）に係合させるとき、前記ピン（７９）をバネ（８０）力で金具（８２）の軸部（８２ａ）に当接する位置まで退入させて、ロック孔（８５）とピン（７９）とのロックを解除状態で保持する一方、図１４に示す如く前記カバー（４０）（４３）の上昇時にあって、前記引張り金具（８２）を溝（８４）より外し略９０°回転させるとき、カラー体（７８）先端部をバネ（８０）力によってコマ体（７６）に押着させ、且つ前記ロック孔（８５）にピン（７９）を挿入させて、各カバー（４０）（４３）の上昇位置でのロック保持を行うものである。
【００１８】
また図１５に示す如く、このロック保持状態より引張り金具（８２）を引張ってロック解除操作を行った場合においては、吊下ロッド（５０）（５６）と係合当接するピン（７９）にはリヤカバー（４０）（４３）重量が作用し、その摩擦力によってピン（７９）の退入が阻止されロック状態を維持するものであるが、リヤカバー（４０）（４３）を若干持上げ操作することによってロックピン（７９）は解除バネ（８０）力で退入してそのロックを解除するものである。
【００１９】
このように、引張り金具（８２）をケース（７７）の解除溝（８４）より外して略９０°回転させた状態で、リヤカバー（４０）（４３）を持上げるとき自動的にピン（７９）がロッド（５０）（５６）のロック孔（８５）に挿入してそのロックが行われると共に、引張り金具（８２）を再び解除溝（８４）に係合保持させてリヤカバー（４０）（４３）を若干持上げ操作するときそのロック解除が行われて、リヤカバー（４０）（４３）を持上げた状態で保守点検や土落し作業を行う場合の作業性や取扱い性を著しく向上させることができるものである。
【００２０】
【発明の効果】
以上実施例から明らかなように本発明は、ロータリカバー（３０）の後部に第１リヤカバー（４０）を、また第１リヤカバー（４０）の後部に第２リヤカバー（４３）をそれぞれ上下動自在に連設させ、第１及び第２リヤカバー（４０）（４３）を下限位置に下動させて固定するロック部材（６３）（６４）を設けると共に、第１及び第２リヤカバー（４０）（４３）用の各ロック部材（６３）（６４）を１本の操作ワイヤ（６９）に連動連結させて、ロック及びロック解除を行うように構成する耕耘装置において、ロック操作レバー（６８）と第１リヤカバー（４０）のロック部材（６４）間を操作ワイヤ（６９）で連動連結すると共に、第２リヤカバー（４０）のロック部材（６３）に一端を連結させるロックロッド（７０）の他端を、第１リヤカバー（４０）のロック部材（６４）の固定片（７１）の長孔（７２）に摺動自在に連結させ、常時は第１及び第２リヤカバー（４０）（４３）を上下動自在に支持させ、前記操作レバー（６８）によってワイヤ（６９）を引張り操作し、第１リヤカバー（４０）のロック部材（６４）を回動させ、ロックロッド（７０）の係止ピン（７０ａ）の固定片（７１）を当接させ、該ロッド（７０）を引張って第２リヤカバー（４３）のロック部材（６３）を回動させるもので、取扱い性に秀れると共に、構造上での簡潔化も図ることができるなど顕著な効果を奏する。
【図面の簡単な説明】
【図１】リヤカバー部の側面説明図である。
【図２】全体の側面図である。
【図３】全体の平面図である。
【図４】耕耘ロータリ作業機の側面説明図である。
【図５】リヤカバー部の平面説明図である。
【図６】リヤカバー部の側面説明図である。
【図７】ロックロッド部の側面説明図である。
【図８】ロックロッド部の背面説明図である。
【図９】耕耘ロータリ作業機の側面説明図である。
【図１０】リヤカバー部の側面説明図である。
【図１１】上限ロック装置の側面断面説明図である。
【図１２】上限ロック装置の平面断面説明図である。
【図１３】上限ロック装置の背面断面説明図である。
【図１４】上限ロック装置のロック状態を示す説明図である。
【図１５】上限ロック装置のロック解除途中の説明図である。
（３０）  ロータリカバー
（４０）  第１リヤカバー
（４３）  第２リヤカバー
（６３）（６４）  ブラケット（ロック部材）
（６９）  操作ワイヤ
【図１】
0003571121.tif 000002
【図２】
0003571121.tif 000003
【図３】
0003571121.tif 000004
【図４】
0003571121.tif 000005
【図５】
0003571121.tif 000006
【図６】
0003571121.tif 000007
【図７】
0003571121.tif 000008
【図８】
0003571121.tif 000009
【図９】
0003571121.tif 000010
【図１０】
0003571121.tif 000011
【図１１】
0003571121.tif 000012
【図１２】
0003571121.tif 000013
【図１３】
0003571121.tif 000014
【図１４】
0003571121.tif 000015
【図１５】
0003571121.tif 000016